(57)【要約】【課題】簡易な構成で優れた回外付勢を生じさせて疲労などからくる強い回内状態を軽減させ、各機能低下を生じにくくし、これにより更なる疲労による機能低下を抑制することとなる極めて画期的な靴下を提供すること。【解決手段】足先覆い部１の土踏まず部に当接する土踏まず当接部３から脚下覆い部２に至る脚長方向に長さを有する一部領域を他の領域よりも伸縮性の小さい素材で形成して土踏まず持ち上げ付勢部４を設けて、前記足先覆い部１の形状を内側曲り形状に構成し、良好な回外付勢が生じるように構成した靴下。【選択図】図２
2010126861.tif 000002
【特許請求の範囲】
【請求項１】
足首より先の足先部を覆う足先覆い部と、足首より上の脚下部を覆う脚下覆い部とから成る靴下において、前記足先覆い部の土踏まず部に当接する土踏まず当接部から前記脚下覆い部に至る脚長方向に長さを有する一部領域を他の領域よりも伸縮性の小さい素材で形成して土踏まずを持ち上げ付勢する土踏まず持ち上げ付勢部を設け、前記足先覆い部の形状を上方から見て足先部の形状に合致する形状とせず、つま先側が内側に傾いた内側曲り形状に構成して、装着時に前記土踏まず持ち上げ付勢部と前記足先覆い部の内側曲り形状設定によって、足先部の踵が外方へ付勢されつま先が内方へ付勢される回外付勢が生じるように構成したことを特徴とする靴下。
【請求項２】
前記土踏まず持ち上げ付勢部は、前記足先覆い部の前記土踏まず当接部からこの足先覆い部の内側部を経て前記脚下覆い部の中程より上側に至る領域を、脚下覆い部の他の領域若しくは足先覆い部の他の領域よりも伸縮性の小さい素材で形成して構成したことを特徴とする請求項１記載の靴下。
【請求項３】
前記土踏まず持ち上げ付勢部を設けることで、前記足先覆い部の形状がノ字状，く字状若しくはバナナ形状などの前記内側曲り形状となるように構成したことを特徴とする請求項１，２のいずれか１項に記載の靴下。
【請求項４】
前記足先覆い部の前記土踏まず当接部からこの足先覆い部の内側部を経て前記脚下覆い部の中程より上側に至る脚長方向に長さを有する帯状領域を、脚下覆い部の他の領域若しくは足先覆い部の他の領域の編地よりも少なくとも脚長方向に伸縮性の小さい編地で形成して帯状の前記土踏まず持ち上げ付勢部を設け、この土踏まず持ち上げ付勢部の脚下覆い部形成部と対向する脚下覆い部の位置の素材も伸縮性の小さい編地で形成して対向位置形状保持部を設けて、この土踏まず持ち上げ付勢部によって前記足先覆い部を前記内側曲り形状に変形し、且つ前記脚下覆い部は前記対向位置形状保持部によって変形しないように構成したことを特徴とする請求項３記載の靴下。
【請求項５】
前記土踏まず持ち上げ付勢部は、前記足先覆い部の前記土踏まず当接部からこの足先覆い部の内側部を経て前記脚下覆い部の中程より上側までの帯状領域を、脚長方向に引きつる編地で脚長方向に伸縮性が小さい編地で形成して構成し、この土踏まず持ち上げ付勢部の脚内側に当接する前記脚下覆い部形成部は脚長方向に長い縦長帯状に形成し、前記対向位置形状保持部は、この脚下覆い部形成部と反対側の脚外側に当接する脚長方向に長い縦長帯状に形成して構成したことを特徴とする請求項４記載の靴下。
【請求項６】
前記土踏まず持ち上げ付勢部を、脚長方向に引きつる編地で且つ前記脚下覆い部の他の領域若しくは前記足先覆い部の他の領域より伸縮性の小さい編地で形成して構成し、この土踏まず持ち上げ付勢部の形成によって前記足先覆い部を前記内側曲り形状に変形したことを特徴とする請求項１〜５のいずれか１項に記載の靴下。
【請求項７】
前記土踏まず持ち上げ付勢部を、タック編みを入れた編地によって脚長方向に引きつる編地とし、この編地によって前記足先覆い部の外側部及び前記脚下覆い部の脹脛当接部より伸縮性の小さい素材に形成して構成したことを特徴とする請求項６記載の靴下。
【請求項８】
前記土踏まず持ち上げ付勢部をタック編みを鹿の子状態に入れた編地によって脚長方向に引きつる編地とし、この編地によって前記足先覆い部の外側部及び前記脚下覆い部の脛当接部より伸縮性の小さい素材に形成して構成したことを特徴とする請求項７記載の靴下。
【発明の詳細な説明】
【技術分野】
【０００１】
本発明は、身体サポート効果を果たす機能性靴下に関するものである。
【背景技術】
【０００２】
足（足先部）を内側下方へひねるようにして身体（脚）に対して足が内側に傾いた状態のときは、足裏の筋・腱がバネの機能を発揮し、足への様々な衝撃を和らげ、吸収することができ、怪我や疲労が減少する。
【０００３】
逆に足（足先部）を外側下方へひねるようにして身体（脚）に対して足が外側に傾いた状態のときは、足に適切な硬さが生まれ、あらゆる運動時に効率良く力の伝達が行われる状態となり、足バランスの向上や足裏全体に体重を分散させることができる。
【０００４】
この中間で足がいずれにも傾いていないニュートラルな状態のときは、効率の良い筋肉活動が行え、足が体重や荷重を最も効果的に伝えることができる。
【０００５】
このように脚に対する足先部の位置や傾きで機能変化が生じるが、疲労により足の筋・腱の機能が低下してくると、足バランスが崩れはじめ、荷重により踵は内側へ、つま先は外側へ向きやすく、踵が内側へ向く回内の強い状態、端的に言えばガニ股状態となってしまう。
【０００６】
この強い回内状態となると、土踏まずのアーチもつぶれ、足のバネ性（反発力）も低下し、足の衝撃吸収機能や運動機能が低下して行き、益々疲労がつのり、益々強い回内状態となる悪循環を来たすことになる。
【発明の開示】
【発明が解決しようとする課題】
【０００７】
本発明は、疲労がくると足にこのような機能低下が生じてしまうことを見い出し、この疲労からくる強い回内状態を軽減させて機能低下を抑制する機能性靴下を提供するもので、単に回外付勢を生じさせることに留まらず、簡易な構成で優れた回外付勢を生じさせて、疲労などからくる強い回内状態を軽減させ、各機能低下を生じにくくし、これにより更なる疲労による機能低下を抑制する極めて画期的な靴下を提供することを目的としている。
【課題を解決するための手段】
【０００８】
添付図面を参照して本発明の要旨を説明する。
【０００９】
足首より先の足先部を覆う足先覆い部１と、足首より上の脚下部を覆う脚下覆い部２とから成る靴下において、前記足先覆い部１の土踏まず部に当接する土踏まず当接部３から前記脚下覆い部２に至る脚長方向に長さを有する一部領域を他の領域よりも伸縮性の小さい素材で形成して土踏まずを持ち上げ付勢する土踏まず持ち上げ付勢部４を設け、前記足先覆い部１の形状を上方から見て足先部の形状に合致する形状とせず、つま先側が内側に傾いた内側曲り形状に構成して、装着時に前記土踏まず持ち上げ付勢部４と前記足先覆い部１の内側曲り形状設定によって、足先部の踵が外方へ付勢されつま先が内方へ付勢される回外付勢が生じるように構成したことを特徴とする靴下に係るものである。
【００１０】
また、前記土踏まず持ち上げ付勢部４は、前記足先覆い部１の前記土踏まず当接部３からこの足先覆い部１の内側部を経て前記脚下覆い部２の中程より上側に至る領域を、脚下覆い部２の他の領域若しくは足先覆い部１の他の領域よりも伸縮性の小さい素材で形成して構成したことを特徴とする請求項１記載の靴下に係るものである。
【００１１】
また、前記土踏まず持ち上げ付勢部４を設けることで、前記足先覆い部１の形状がノ字状，く字状若しくはバナナ形状などの前記内側曲り形状となるように構成したことを特徴とする請求項１，２のいずれか１項に記載の靴下に係るものである。
【００１２】
また、前記足先覆い部１の前記土踏まず当接部３からこの足先覆い部１の内側部を経て前記脚下覆い部２の中程より上側に至る脚長方向に長さを有する帯状領域を、脚下覆い部２の他の領域若しくは足先覆い部１の他の領域の編地よりも少なくとも脚長方向に伸縮性の小さい編地で形成して帯状の前記土踏まず持ち上げ付勢部４を設け、この土踏まず持ち上げ付勢部４の脚下覆い部形成部５と対向する脚下覆い部２の位置の素材も伸縮性の小さい編地で形成して対向位置形状保持部６を設けて、この土踏まず持ち上げ付勢部４によって前記足先覆い部１を前記内側曲り形状に変形し、且つ前記脚下覆い部２は前記対向位置形状保持部６によって変形しないように構成したことを特徴とする請求項３記載の靴下に係るものである。
【００１３】
また、前記土踏まず持ち上げ付勢部４は、前記足先覆い部１の前記土踏まず当接部３からこの足先覆い部１の内側部を経て前記脚下覆い部２の中程より上側までの帯状領域を、脚長方向に引きつる編地で脚長方向に伸縮性が小さい編地で形成して構成し、この土踏まず持ち上げ付勢部４の脚内側に当接する前記脚下覆い部形成部５は脚長方向に長い縦長帯状に形成し、前記対向位置形状保持部６は、この脚下覆い部形成部５と反対側の脚外側に当接する脚長方向に長い縦長帯状に形成して構成したことを特徴とする請求項４記載の靴下に係るものである。
【００１４】
また、前記土踏まず持ち上げ付勢部４を、脚長方向に引きつる編地で且つ前記脚下覆い部２の他の領域若しくは前記足先覆い部１の他の領域より伸縮性の小さい編地で形成して構成し、この土踏まず持ち上げ付勢部４の形成によって前記足先覆い部１を前記内側曲り形状に変形したことを特徴とする請求項１〜５のいずれか１項に記載の靴下に係るものである。
【００１５】
また、前記土踏まず持ち上げ付勢部４を、タック編みを入れた編地によって脚長方向に引きつる編地とし、この編地によって前記足先覆い部１の外側部及び前記脚下覆い部２の脹脛当接部７より伸縮性の小さい素材に形成して構成したことを特徴とする請求項６記載の靴下に係るものである。
【００１６】
また、前記土踏まず持ち上げ付勢部４をタック編みを鹿の子状態に入れた編地によって脚長方向に引きつる編地とし、この編地によって前記足先覆い部１の外側部及び前記脚下覆い部２の脛当接部８より伸縮性の小さい素材に形成して構成したことを特徴とする請求項７記載の靴下に係るものである。
【発明の効果】
【００１７】
本発明は上述のように構成したから、簡易な構成で優れた回外付勢を生じさせて、疲労などからくる強い回内状態を軽減させ、各機能低下を生じにくくし、これにより更なる疲労による機能低下を抑制する極めて画期的な靴下となる。
【００１８】
即ち、本発明は、装着することで、土踏まず持ち上げ付勢部と足先覆い部の内側曲り形状設定によって、足先部の踵が外方へ付勢されつま先が内方へ付勢される良好な踵回外付勢が生じ、単なる回外付勢するに留まる構成でなく、土踏まずを持ち上げ付勢しつつノ字状，く字状あるいはバナナ形状などの内側曲り形状に形成した足先覆い部によって回外付勢するため、簡易な構成でありながら、前記強い回内状態を抑制し得る良好な回外付勢が生じることとなる極めて優れた靴下となる。
【００１９】
また、請求項２記載の発明においては、簡易な構成で良好な回外付勢が生じる程の良好な土踏まず持ち上げ付勢が生じる一層実用性に優れた靴下となる。
【００２０】
また、請求項３記載の発明においては、単にこの土踏まず持ち上げ付勢部を形成することで足先覆い部が変形して内側曲り形状となるもので、編み上げ後に特別な加工を施すことなく、靴下を編み立てて行くにおいてこの編地の所定領域を伸縮性の小さい編地とすることで実現でき、極めて実用性に優れた画期的な靴下となる。
【００２１】
また、請求項４記載の発明においては、このように土踏まず持ち上げ付勢部の形成によって足先覆い部を内側曲り形状とするとともに、内側曲り形状とする必要のない脚下覆い部には対向位置形状保持部を設けて変形させないこととし、履きづらくなることなく、持ち上げ機能と内側曲り形状変形との双方を確実に果たし、前述のようにこの相乗効果によって良好な回外付勢を生じさせて疲労時に強い回内状態となることを抑制する一層優れた靴下となる。
【００２２】
また、請求項５〜８記載の発明においては、簡易な構成で容易に実現でき、特に編み機によって靴下を編み上げて行くにおいて、編地の所定領域を特定の編み立てによって行うだけで、土踏まず持ち上げ付勢部並びに足先覆い部の内側曲り形状を実現でき、極めて量産性に優れる一層実用性に優れた画期的な靴下となる。
【発明を実施するための最良の形態】
【００２３】
好適と考える本発明の実施形態（発明をどのように実施するか）を、図面に基づいて本発明の作用を示して簡単に説明する。
【００２４】
足先覆い部１で足先部を覆い、脚下覆い部２で脚下部を覆うように脚下覆い部２の入り口から足先部を入れて装着すると、伸縮性がありフィットする他の領域に比べて、例えば足先覆い部１の外側部や脚下覆い部２の脹脛当接部７に比べて、土踏まず持ち上げ付勢部４を形成した領域は伸縮性が小さいから、土踏まずを持ち上げる機能が発揮される。
【００２５】
即ち、足先覆い部１の土踏まず当接部３から内側部を経て脚下覆い部２の脚内側当接部（脚下覆い部形成部５）にかけた脚長方向のラインが伸縮性の小さい編地で形成されているから、この土踏まず持ち上げ付勢部４によって土踏まずを持ち上げようとする土踏まず持ち上げ付勢が生じる。
【００２６】
また、足先覆い部１の形状は上方から見て足先部に合致した形状とせず、つま先側へ行く程内側へ湾曲するようなバナナ形状あるいは、脚根本や途中から内側へ湾曲したり傾斜したりする形状などの内側曲り形状に設定し、このような内側曲り形状の足先覆い部１を履くことで足先部につま先側が内方へ回動しようとする付勢、言い換えると内股になろうとする回外付勢が生じる。つまり、つま先を内方へ向かせ、踵を外方へ押しやる回外付勢が生じる。
【００２７】
本発明は、単なる回外付勢を生じさせるのではなく、土踏まず当接部３から脚下覆い部２の上部に至る一部領域の素材（編地）を伸縮性の良い通常の靴下編みや更に伸縮性の良い鹿の子編みでなく、少なくともこの脚長方向に伸縮性の小さい編地として土踏まず持ち上げ付勢部４を設けることで土踏まずを持ち上げ付勢し、そしてこの土踏まずを持ち上げつつ足先覆い部１の内側曲り形状によって回外付勢を生じさせることで、良好な回外付勢が発揮されて疲労時に強い回内状態となることを常時抑制することができることとなる。
【００２８】
即ち、本発明は、土踏まず持ち上げ付勢部４と足先覆い部１の形状設定によって装着するだけで、土踏まず持ち上げ付勢と共に踵を外方へ付勢する回外付勢が生じてこの相乗効果によって極めて効率良く良好な回外付勢が生じ、疲労によって強い回内状態となろうとすることを常に抑制し、これにより足の機能低下が防止され、更なる疲労やこの強い回内状態となることを抑制して足の機能低下を軽減できる。
【００２９】
更に本発明は、例えば土踏まず持ち上げ付勢部４をタック編みを鹿の子状態に入れ込んで伸縮性を小さくすることでこの土踏まず持ち上げ付勢部４を形成すると共に、このタック編みの脚長方向での引きつりによって足先覆い部１を内側曲り形状に変形でき、編み機の編み立てによって特別な後加工なく実現することもできる。
【実施例】
【００３０】
本発明の具体的な実施例について図面に基づいて説明する。
【００３１】
本実施例は、編み機により編み立てて足首より先の足先部を覆う足先覆い部１に続いて、足首より上の脚下部を覆う脚下覆い部２を編み上げるが、一時的に編み目を作らず次のコースを編む時に一緒に編み目を作るタック編みを途中入れ込んで伸縮性の小さい編地を形成して土踏まず持ち上げ付勢部４を脚長方向に形成すると共に、このタック編みによる引きつりによって足先覆い部１をバナナ形状に変形させている。
【００３２】
即ち、前記足先覆い部１の前記土踏まず当接部３からこの足先覆い部１の内側部を経て前記脚下覆い部２の中程より上側に至る帯状領域を、例えば前述のようにして脚下覆い部２の他の領域や足先覆い部１の他の領域よりも伸縮性の小さい編地で形成して土踏まずを持ち上げる付勢する土踏まず持ち上げ付勢部４を設けている。
【００３３】
この土踏まず持ち上げ付勢部４の具体的形成手法については後述するが、本実施例では、更に、前記足先覆い部１の形状を上方から見て足先部の形状に合致する形状とせず、つま先側が内側に傾いた内側曲り形状に構成して、装着時に前記土踏まず持ち上げ付勢部４と前記足先覆い部１の内側曲り形状設定によって、足先部の踵が外方へ付勢されつま先が内方へ付勢される回外付勢が効果的に生じるように構成している。
【００３４】
特に本実施例では、編み上げた後に別部材を付設するなどの後加工することなく、前記土踏まず持ち上げ付勢部４を設けることで、前記足先覆い部１の形状がノ字状，く字状若しくはバナナ形状などの前記内側曲り形状（本実施例では内側曲りのバナナ形状）となるように構成している。
【００３５】
更に説明すると、本実施例では、前記足先覆い部１の前記土踏まず当接部３からこの足先覆い部１の内側部を経て前記脚下覆い部２の中程より上側の上端部に至る脚長方向に長さを有する領域を、脚下覆い部２の脛当接部８や足先覆い部１の外側部の編地よりも少なくとも脚長方向に伸縮性の小さい編地で形成して前記土踏まず持ち上げ付勢部４を設け、この土踏まず持ち上げ付勢部４の脚下覆い部形成部５と対向する脚下覆い部２の位置の素材も伸縮性の小さい編地で形成して対向位置形状保持部６を設けて、足先覆い部１を内側曲り形状に変形し、且つ脚下覆い部２はこの対向位置形状保持部６によって変形しないように構成している。
【００３６】
具体的には、この土踏まず持ち上げ付勢部４の脚内側に当接する前記脚下覆い部形成部５は脚長方向に長い縦長帯状に形成し、前記対向位置形状保持部６は、これと対向し引きつりによる変形を打ち消すように、この脚下覆い部形成部５と反対側の脚外側に当接する脚長方向に長い縦長帯状に形成している。
【００３７】
また、本実施例では、前述のように所定領域にタック編みを入れ込むことで他領域より伸縮性のない編地に形成して土踏まず持ち上げ付勢部４を形成している。具体的には、タック編みを入れ込むことで、脚長方向に引きつる編地で且つ前記足先覆い部１の外側部や脚下覆い部２の脹脛当接部７より伸縮性の小さい編地とし、この土踏まず持ち上げ付勢部４を形成すると同時にこのタック編みの引きつりによって前記足先覆い部１を前記内側曲り形状に変形している。
【００３８】
更に説明すると、本実施例では、足先覆い部１の外側部は伸縮性の良い通常の靴下編みとし、特に脹脛当接部７は更に伸縮性の良い鹿の子編みとして土踏まず持ち上げ機能を増大するように構成し、前記土踏まず持ち上げ付勢部４を形成する領域は、前述のようにタック編みを入れた編地によって脚長方向に引きつる編地とし、伸縮性の小さな編地領域としている。このタック編みを本実施例では鹿の子状に入れ込んで伸縮性が失われないようにしている。
【００３９】
少なくとも、脚長方向の伸縮性を小さくし、この方向に引きつらせるもののこれと直交する横方向には伸縮性が良好となるように、本実施例ではタック編みを鹿の子状態に入れた鹿の子編みとして土踏まず持ち上げ付勢部４を形成している。即ち、足先覆い部１の外側部などは靴下編みとし、脹脛当接部７は特に鹿の子編みとするが、足先覆い部１の土踏まず当接部３や内側部などの土踏まず持ち上げ付勢部４はタック編みを鹿の子状に入れた鹿の子編みとして脚長方向の伸縮性を小さくすると共に、この脚長方向（土踏まず持ち上げ付勢部４形成方向）に引きつらせて、足先覆い部１をバナナ形状に変形させている。
【００４０】
具体的には本実施例では、この土踏まず持ち上げ付勢部４を形成するためのタック編みはコース方向に２コース置き、ウェール方向に１ウェル置きにして鹿の子状態に入れて引きつらせて足先覆い部１をバナナ形状に変形している。
【００４１】
また、足先覆い部１の外側部や裏側部や足首当接部11やつま先当接部９の基端部は伸縮性の良い靴下編みとしているが、脛当接部８やつま先当接部９はパイル編みとして伸縮性を良好としフィット感を向上させ、脹脛当接部７は前述のように更に伸縮性の高い鹿の子編みとしている。
【００４２】
また、踵当接部10や足首当接部11やつま先当接部９にはナイロン補強している。また甲当接部12は通気性を良くするためにメッシュ編みとしている。
【００４３】
また、脚下覆い部２の基端開口部13には靴下編みにより口ゴムを形成し、土踏まず持ち上げ付勢部４はここに至るまで縦長帯状に形成している。
【００４４】
尚、本発明は、本実施例に限られるものではなく、各構成要件の具体的構成は適宜設計し得るものである。
【図面の簡単な説明】
【００４５】
【図１】本実施例の説明斜視図である。
【図２】本実施例の説明正面図である。
【図３】本実施例の説明内側側面図である。
【図４】本実施例の説明外側側面図である。
【図５】本実施例の説明底面図である。
【図６】本実施例の作動説明底面図である。
【図７】本実施例の土踏まず持ち上げ付勢部の編地の説明図である。
【符号の説明】
【００４６】
１  足先覆い部
２  脚下覆い部
３  土踏まず当接部
４  土踏まず持ち上げ付勢部
５  脚下覆い部形成部
６  対向位置形状保持部
７  脹脛当接部
８  脛当接部
【図１】
2010126861.tif 000003
【図２】
2010126861.tif 000004
【図３】
2010126861.tif 000005
【図４】
2010126861.tif 000006
【図５】
2010126861.tif 000007
【図６】
2010126861.tif 000008
【図７】
2010126861.tif 000009